(57)【要約】【課題】化粧パネルからローディングトレイに作用する振動を低減できる記録媒体再生装置を提供する。【解決手段】前壁に化粧パネルが取り付けられ、記録媒体を収容するローディングトレイを、本体ケーシングに開設された窓部から出没可能に配備した記録媒体再生装置において、ローディングトレイの前壁には、１又は複数の係合受部が形成され、化粧パネルは、前記窓部に周縁が当接して窓部を閉じるパネル部と、該パネル部の後面から後方に向けて突出し、先端がローディングトレイの前壁内面に向けて屈曲しており、前記係合受部にスライド可能に嵌まると共に、パネル部をローディングトレイの前壁に向けて付勢する係合部とを具える。【選択図】　　　図７
2004014024.tif 000002
【特許請求の範囲】
【請求項１】
前壁に化粧パネルが取り付けられ、記録媒体を収容するローディングトレイを、本体ケーシングに開設された窓部から出没可能に配備した記録媒体再生装置において、
ローディングトレイの前壁には、１又は複数の係合受部が形成され、
化粧パネルは、前記窓部に周縁が当接して窓部を閉じるパネル部と、該パネル部の後面から後方に向けて突出し、先端がローディングトレイの前壁内面に向けて屈曲しており、前記係合受部にスライド可能に嵌まると共に、パネル部をローディングトレイの前壁に向けて付勢する係合部とを具え、
ローディングトレイを本体ケーシングから引き出すと、係合部の付勢力によって、パネル部がローディングトレイの前壁に押しつけられた状態に維持され、
ローディングトレイを化粧パネルの係合部の付勢力に抗して本体ケーシングの内部に収容すると、パネル部がローディングトレイから離間し、パネル部が窓部に当接して窓部を閉じるようにしたことを特徴とする記録媒体再生装置。
【請求項２】
化粧パネルは、パネル部と係合部が一体に形成されている請求項１に記載の記録媒体再生装置。
【請求項３】
パネル部は、その周縁及び窓部に、パネル部を窓部に対して位置決め可能な位置決め部材を具える請求項１又は請求項２に記載の記録媒体再生装置。
【請求項４】
前壁に化粧パネルが取り付けられ、記録媒体を収容するローディングトレイを、本体ケーシングに開設された窓部から出没可能に配備した記録媒体再生装置において、
化粧パネルは、前記窓部に周縁が当接して窓部を閉じるパネル部と、該パネル部の後面に配備され、パネル部をローディングトレイに対して付勢する係合部とを具え、
パネル部には、ローディングトレイの前壁に向けて、ローディングトレイの前壁に開設された案内孔に嵌合かつ位置決め可能な突起が形成されており、
ローディングトレイを本体ケーシングから引き出したとき、化粧パネルの係合部の付勢力によって、パネル部がローディングトレイの前壁に押しつけられた状態に維持され、前記突起が案内孔に嵌まって、化粧パネルがローディングトレイに対して位置決めされるようになし、
ローディングトレイを化粧パネルの係合部の付勢力に抗して本体ケーシングの内部に収容したとき、パネル部とローディングトレイの前壁が離間し、前記突起が案内孔から外れて、化粧パネルのローディングトレイによる位置決め状態が解除されるようにした記録媒体再生装置。
【発明の詳細な説明】
【０００１】
【発明の属する技術分野】
本発明は、ローディングトレイを具えた記録媒体再生装置に関するものであり、より具体的には、ローディングトレイに取り付けられた化粧パネルからローディングトレイに作用する振動を低減することのできる記録媒体再生装置に関するものである。
【０００２】
【従来の技術】
ディスク型、カセット型等の記録媒体の記録及び／又は再生を行なう装置（以下「記録媒体再生装置」という）として、図１及び図２に示すように、記録媒体を載置するトレイ（３０）が出没する所謂ローディングトレイ方式の記録媒体再生装置（１０）がある。ローディングトレイ（３０）の先端には、防塵や装飾等の目的で化粧パネル（４０）が取り付けられている。
【０００３】
【発明が解決しようとする課題】
従来、化粧パネル（４０）は、ローディングトレイ（３０）に対して、接着、ネジ止め又は嵌め込み等の方法で固定されていたため、記録媒体の記録や再生を行なっているときに、化粧パネル（４０）に人が接触したり、衝撃が加わると、その振動が直接ローディングトレイ（３０）に伝わって、音飛びやノイズが発生し、音質や画質の乱れを生ずることがあった。
【０００４】
本発明の目的は、化粧パネルからローディングトレイに作用する振動を低減できる記録媒体再生装置を提供することである。
【０００５】
【課題を解決するための手段】
上記課題を解決するために、本発明の記録媒体再生装置は、
前壁に化粧パネルが取り付けられ、記録媒体を収容するローディングトレイを、本体ケーシングに開設された窓部から出没可能に配備した記録媒体再生装置において、
ローディングトレイの前壁には、１又は複数の係合受部が形成され、
化粧パネルは、前記窓部に周縁が当接して窓部を閉じるパネル部と、該パネル部の後面から後方に向けて突出し、先端がローディングトレイの前壁内面に向けて屈曲しており、前記係合受部にスライド可能に嵌まると共に、パネル部をローディングトレイの前壁に向けて付勢する係合部とを具える。
【０００６】
【作用及び効果】
ローディングトレイを本体ケーシングから引き出すと、係合部の付勢力によって、パネル部はローディングトレイの前壁に押しつけられた状態に維持される。従って、ローディングトレイを引き出したときに、化粧パネルがぐらつくことはない。
また、ローディングトレイを化粧パネルの係合部の付勢力に抗して、本体ケーシングの内部に収容すると、パネル部が窓部に当接して窓部を閉じると共に、パネル部とローディングトレイの前壁とは離間する。従って、パネル部に人が接触したり、衝撃が加わっても、ローディングトレイにはその振動が直接伝わらないので、記録媒体の音飛びやノイズの発生を防止することができ、音質や画質も乱れることはない。
【０００７】
【発明の実施の形態】
図１及び図２に示すように、記録媒体再生装置（１０）は、本体ケーシング（１２）に開設された窓部（２０）から、ローディングトレイ（３０）を出没可能に配置して構成される。ローディングトレイ（３０）へのディスク型記録媒体（以下単に「ディスク」という）の出し入れは、図１に示すように、ローディングトレイ（３０）を手前側に引き出した状態で行なわれる。また、ディスクの記録及び／又は再生は、図２に示すように、ローディングトレイ（３０）が本体ケーシング（１２）に引き込められた状態で行なう。
ローディングトレイ（３０）は、記録媒体再生装置（１０）の内部に設けられたガイド（図示せず）にスライド可能に支持されており、モータ（図示せず）の駆動力をラック（３２）・ピニオンやプーリ・ベルト等の減速機構を介して伝達させることにより、本体ケーシング（１２）から出没する。
【０００８】
図３は、ローディングトレイ（３０）の正面図及び要部底面図を示している。
ローディングトレイ（３０）の前壁（３４）には、後述する化粧パネル（４０）の係合部（４１）（４１）がスライド可能に嵌まる係合受部（３６）（３６）が形成されている。各係合受部（３６）は、下方に向けて開口するフック状の部材から構成することができ、係合部（４１）が上下左右に余裕をもって嵌まる大きさとすることが望ましい。
さらに、前壁（３４）には、後述する化粧パネル（４０）の突起（４８）が嵌合する位置決め用の案内孔（３８）（３８）（３８）が貫通開設されている。案内孔（３８）には、突起（４８）が進入しやすいようにテーパー（３８ａ）を形成しておくことが望ましい。
【０００９】
図４は、化粧パネル（４０）の側面図、背面図及び底面図を示している。化粧パネル（４０）は、以下に説明するパネル部（４５）、周壁（４６）及び係合部（４１）（４１）を具える。化粧パネル（４０）は、ＡＢＳ樹脂等の合成樹脂により一体に形成することが望ましい。軽量化や、部品点数の削減、作業性の向上、さらには、係合部（４１）の薄型化を図るためである。
パネル部（４５）は、本体ケーシング（１２）の窓部（２０）を塞ぐ略矩形の板状体であって、窓部（２０）へ余裕をもって嵌まるように、窓部（２０）の当り部（２２）の外周よりも少し小さい形状に形成される。
パネル部（４５）の周縁には、下端縁を除いて、周壁（４６）が後方に向けて突設されている。周壁（４６）には、化粧パネル（４０）を窓部（２０）に位置決めするための位置決め部材（４７）が形成されている。図示の例では、位置決め部材（４７）として凹みを形成している。凹みには、窓部（２０）の位置決め部材（２４）と係合し易くするため、開口側にテーパー（４７ａ）を形成しておくことが望ましい。
【００１０】
パネル部（４５）の裏面には、ローディングトレイ（３０）の前壁（３４）と係合する係合部（４１）が形成されている。係合部（４１）（４１）は、パネル部（４５）から後方に向けて略垂直に突設され、前記係合受部（３６）にスライド可能に嵌まるスライド部（４２）と、スライド部（４２）の後端からパネル部（４５）と略平行な横方向に延び、先端がパネル部側に屈曲して前後方向に弾性を有する付勢部（４３）を具える。付勢部（４３）の先端には、ローディングトレイ（３０）の前壁（３４）に当接する当り（４４）が形成されている。
【００１１】
化粧パネル（４０）には、さらに、ローディングトレイ（３０）の位置決め用の案内孔（３８）（３８）（３８）に嵌合する突起（４８）（４８）（４８）が後方に向けて突設されている。突起（４８）は、案内孔（３８）に進入し易くするために、先端を細くしておくことが望ましい。突起（４８）の基端側には、突起（４８）が案内孔（３８）に進入したときに、ローディングトレイ（３０）の前壁（３４）に当たって化粧パネル（４０）を安定させるストッパ（４９）を形成しておくことが望ましい。
【００１２】
化粧パネル（４０）は、ローディングトレイ（３０）の前壁（３４）に取り付けられる。化粧パネル（４０）は、図６に示すように、ローディングトレイ（３０）の係合受部（３６）に、化粧パネル（４０）の係合部（４１）のスライド部（４２）を嵌め、突起（４８）（４８）（４８）を案内孔（３８）（３８）（３８）に位置合わせすることによって、ローディングトレイ（３０）に取り付けられる。なお、取り付けを容易に行なうために、付勢部（４３）は、先端の当り（４４）を後方に付勢しておく。
【００１３】
図５は、本体ケーシング（１２）に開設され、ローディングトレイ（３０）を出没させるための窓部（２０）を示している。窓部（２０）は、図５に示すように、ローディングトレイ（３０）が出没する開口（２１）と、該開口（２１）の周囲に形成され、本体ケーシング（１２）よりも凹んだ当り部（２２）を具える。当り部（２２）は、ローディングトレイ（３０）が本体ケーシング（１２）に収容されたときに、化粧パネル（４０）が当たる部分である。当り部（２２）には、前面に化粧パネル（４０）を位置決めするための位置決め部材（２４）を有する。図示の例では、位置決め部材（２４）として化粧パネル（４０）の凹みが嵌まる突条としている。
当り部（２２）は、前述のとおり、化粧パネル（４０）のパネル部（４５）よりも少し大きく形成しておくことが望ましい。当り部（２２）を少し大きくすることにより、化粧パネル（４０）が窓部（２０）の当り部（２２）に収容されたときに隙間（２６）（図７参照）が形成され、位置決めが容易となる。
【００１４】
ローディングトレイ（３０）が本体ケーシング（１２）から引き出された状態では、図６に示すように、化粧パネル（４０）は、付勢部（４３）の付勢力によって、突起（４８）が案内孔（３８）に進入し、ストッパ（４９）が前壁（３４）に当接するように、ローディングトレイ（３０）の前壁（３４）に押しつけられる。この状態では、突起（４８）と案内孔（３８）が嵌合しているため、化粧パネル（４０）はローディングトレイ（３０）と一体となって移動する。
【００１５】
ローディングトレイ（３０）を本体ケーシング（１２）に収容すると、まず、窓部（２０）の当り部（２２）に化粧パネル（４０）の周壁（４６）が当接する。このとき、周壁（４６）と窓部（２０）の位置決め部材（４７）（２４）が夫々係合する。
この状態で、さらに、ローディングトレイ（３０）を本体ケーシング（１２）の内部に後退させると、化粧パネル（４０）はそれ以上後退できないため、付勢部（４３）が屈曲して、化粧パネル（４０）のパネル部（４５）が、前壁（３４）からローディングトレイ（３０）から離れて、突起（４８）が案内孔（３８）から抜ける。ローディングトレイ（３０）は、図７に示すように、突起（４８）が案内孔（３８）から抜けた位置で停止するように制御される。
【００１６】
ローディングトレイ（３０）は、図７に示すように、化粧パネル（４０）と係合部（４１）のみを介して接しているだけであり、望ましい実施例では、若干の遊びを持って嵌合している。つまり、化粧パネル（４０）は、ローディングトレイ（３０）に対して固定されていないから、化粧パネル（４０）に接触して、振動が加わったり、叩いたりしても、ローディングトレイ（３０）にはその衝撃は伝わらない。従って、これらを原因とする音飛び等を防止でき、音質や画質の乱れ、劣化を防止することができる。
【００１７】
ローディングトレイ（３０）を引き出す場合には、図７の状態から、付勢部（４３）が復帰しつつ、突起（４８）が案内孔（３８）に嵌合し、次にストッパ（４９）が前壁（３４）に当たる。案内孔（３８）にテーパー（３８ａ）が形成されている場合には、突起（４８）が案内孔（３８）に容易に進入する。
さらにローディングトレイ（３０）を前進させると、化粧パネル（４０）とローディングトレイ（３０）は、一体となって窓部（２０）から突出する（図１及び図６参照）。
【００１８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能である。
【００１９】
例えば、上記実施例では、記録媒体としてディスク型のものを用いて説明を行なったが、カセット型等の記録媒体の再生装置にも本発明を適用することができる。
また、上記実施例では、本体ケーシングの前面から横向きに配置されたローディングトレイが出没する例について説明したが、ローディングトレイは縦向きに配置することともでき、また、本体ケーシングの上面に配置することもできる。さらに、化粧パネルをローディングトレイに対して付勢する方法は、上記実施例に限定されるものではなく、バネやゴム、磁石等を用いた構造とすることもできる。
【図面の簡単な説明】
【図１】ローディングトレイが引き出された状態の記録媒体再生装置の斜視図である。
【図２】ローディングトレイが収容された状態の記録媒体再生装置の斜視図である。
【図３】ローディングトレイの要部拡大図である。
【図４】化粧パネルの拡大図である。
【図５】本体ケーシングの窓部の拡大図である。
【図６】ローディングトレイが引き出された状態を示す拡大図である。
【図７】ローディングトレイが本体ケーシングに収容された状態を示す拡大図である。
【符号の説明】
（２０）　窓部
（３０）　ローディングトレイ
（３６）　係合受部
（４０）　化粧パネル
（４１）　係合部
（４５）　パネル部
【図１】
2004014024.tif 000003
【図２】
2004014024.tif 000004
【図３】
2004014024.tif 000005
【図４】
2004014024.tif 000006
【図５】
2004014024.tif 000007
【図６】
2004014024.tif 000008
【図７】
2004014024.tif 000009